(57)【要約】【課題】扉等を形成することなく活線抜挿を防止すると共に、基板に対する作業を行う際の作業領域を十分に確保することができる構造を有する画像形成装置を提供する。【解決手段】プリンタ１は、収容状態、切断状態、及び引抜状態に移動可能に形成されると共に、引抜状態にある場合にＩ／Ｆ制御部３９をプリンタ１本体から引き抜くことが可能となる様に形成された掴手５３と、Ｉ／Ｆ制御部３９に形成された回路群へ電力を供給する低圧電源３３と、掴手５３の状態を検出する検出部５５と、低圧電源３３から回路群への電力の供給を制御する電力制御部５７とを備え、電力制御部５７は、検出部５５の検出結果に基づいて掴手５３が収容状態にある場合に低圧電源３３から回路群へ電力を供給すると共に、掴手５３が切断状態にある場合に低圧電源３３から回路群への電力の供給を停止する。【選択図】  図３
2008250070.tif 000002
【特許請求の範囲】
【請求項１】
着脱可能な基板を搭載する画像形成装置において、
収容状態、切断状態、及び引抜状態に移動可能に形成されると共に、前記引抜状態にある場合に前記基板を前記画像形成装置本体から引き抜くことが可能となる様に形成された掴手と、
前記基板に形成された回路群へ電力を供給する電力供給部と、
前記掴手の状態を検出する状態検出部と、
前記電力供給部から前記回路群への電力の供給を制御する電力制御部とを備え、
前記電力制御部は、前記状態検出部の検出結果に基づいて前記掴手が前記収容状態にある場合に前記電力供給部から前記回路群へ電力を供給すると共に、前記掴手が前記切断状態にある場合に前記電力供給部から前記回路群への電力の供給を停止すること
を特徴とする画像形成装置。
【請求項２】
前記基板と固定され前記基板を前記電力供給部から離す方向にスライド可能なブラケットを備え、
前記掴手は、ブラケットに対して回動支持されており、
前記電力制御部は、前記状態検出部における前記掴手が前記ブラケットから引き起こされた旨の検出結果に応じて前記回路群への電力供給を停止すること
を特徴とする請求項１記載の画像形成装置。
【請求項３】
前記電力供給部から供給された電力に基づいて駆動し前記ブラケットがスライドする動作をロックするロック部を備え、
前記電力供給部は、前記状態検出部からの検出結果に基づいて前記ロック部への電力供給を制御すること
を特徴とする請求項１又は請求項２の何れかの項記載の画像形成装置。
【請求項４】
前記ロック部は、前記電力供給部から供給された電力に基づいて駆動するソレノイドによって形成され、
前記ソレノイドは、前記電力供給部からの電力供給が停止すると前記ブラケットがスライドする動作をロックする様に形成されたこと
を特徴とする請求項３記載の画像形成装置。
【請求項５】
前記掴手が、前記基板を前記電力供給部から離す方向に移動する動作を規制するストッパを備えること
を特徴とする請求項１乃至請求項４の何れかの項記載の画像形成装置。
【請求項６】
前記基板及び前記電力供給部を収容すると共に放電可能に形成された筐体と、
前記基板の側面に形成されたアース部と、
前記基板を前記電力供給部から離す方向に前記筐体内部に敷設されたレールとを備え、
前記基板は、前記アース部が前記レール上をスライドする様に形成されたこと
を特徴とする請求項１乃至請求項５の何れかの項記載の画像形成装置。
【発明の詳細な説明】
【技術分野】
【０００１】
本発明は、画像形成装置に関する。
【背景技術】
【０００２】
従来、装置から着脱可能に形成された基板を引き抜く際に、いわゆる活線抜挿を防止する技術としては、特許文献１に記載された発明がある。
【０００３】
【特許文献１】特開平１０−１１５５４公報
【０００４】
具体的には、この特許文献１に記載された発明は、基板に対応するＩＣカードの挿入口の前面に扉を形成し、扉の動作に応じてＩＣカードへの通電を制御することとしている。また、上述の発明は、扉の状態を検出するマイクロスイッチを備える。そして当該発明によれば、扉が開いているときはマイクロスイッチが押下されない為、この状態ではＩＣカードへの通電を行わないこととしている。一方、マイクロスイッチが扉によって押下された状態、すなわち扉が閉められているときには、ＩＣカードへの通電を行うこととしている。そして特許文献１に記載された発明では、この様な構造によってＩＣカードをデータ破壊から保護することとしている。
【発明の開示】
【発明が解決しようとする課題】
【０００５】
しかしながら、上述の発明では、扉を形成する必要がある為、小型の装置等に適用することができないという問題があった。また、基板に対して何らかの作業を行う場合、扉の開口部から基板にアクセスする必要がある為、一定の作業性を確保する為に、開口部を一定の面積以上確保する必要があり、小型の装置等に適用することが困難であった。
【０００６】
そこで本発明はこの様な実情に鑑みてなされたものであり、扉等を形成することなく活線抜挿を防止すると共に、基板に対する作業を行う際の作業領域を十分に確保することができる構造を有する画像形成装置を提供することを目的とする。
【課題を解決するための手段】
【０００７】
上記課題を解決する為に、本発明にかかる画像形成装置は、着脱可能な基板を搭載する画像形成装置において、収容状態、切断状態、及び引抜状態に移動可能に形成されると共に、前記引抜状態にある場合に前記基板を前記画像形成装置本体から引き抜くことが可能となる様に形成された掴手と、前記基板に形成された回路群へ電力を供給する電力供給部と、前記掴手の状態を検出する状態検出部と、前記電力供給部から前記回路群への電力の供給を制御する電力制御部とを備え、前記電力制御部は、前記状態検出部の検出結果に基づいて前記掴手が前記収容状態にある場合に前記電力供給部から前記回路群へ電力を供給すると共に、前記掴手が前記切断状態にある場合に前記電力供給部から前記回路群への電力の供給を停止することを特徴としている。
【０００８】
この構成によれば、画像形成装置は、掴手の状態に応じて基板への電力供給を制御することが可能となる。そして掴手は、ユーザが引っ張ることにより基板と電力供給部とを離すことができる様に形成されている為、基板を引っ張ることができるスペースを確保することによって容易に基板を抜き出すことや、基板に対してアクセスすることが可能となる。
【発明の効果】
【０００９】
この様に、画像形成装置によれば、扉等を形成することなく活線抜挿を防止すると共に、基板に対する作業を行う際の作業領域を十分に確保することができる。
【発明を実施するための最良の形態】
【００１０】
以下、本発明を適用した具体的な実施の形態について図面を参照しながら詳細に説明する。
【００１１】
図１に示す様にプリンタ１は、情報処理装置等の上位装置から送信された画像情報に基づく潜像画像を形成する露光ヘッド３、潜像画像に基づく現像剤画像を形成する現像装置５、現像装置５に現像剤を供給する現像剤カートリッジ７、現像剤画像を用紙上に転写する転写装置９、及び用紙を搬送する搬送ベルトユニット１１からなる画像印刷部１３を備える。
【００１２】
この様な画像印刷部１３は、露光ヘッド３Ｃ，３Ｍ，３Ｙ，３Ｋによって、各感光体ドラム１５Ｃ，１５Ｍ，１５Ｙ，１５Ｋ上に潜像画像を形成する。そして各感光体ドラム１５Ｃ，１５Ｍ，１５Ｙ，１５Ｋによって担持された潜像画像には、現像ローラ１７Ｃ，１７Ｍ，１７Ｙ，１７Ｋによって各色に対応した現像剤が付着される。またプリンタ１は、これらの動作と並行して、用紙が堆積した用紙スタッカ１９から給紙ローラ２１によって搬送された用紙を、搬送ベルトユニット１１まで搬送する。搬送ベルトユニット１１まで搬送された用紙は、搬送ベルトユニット１１によって転写装置９Ｃ，９Ｍ，９Ｙ，９Ｋと感光体ドラム１５Ｃ，１５Ｍ，１５Ｙ，１５Ｋとの間を、一定の搬送速度で搬送される。そしてこれにより用紙上に、各色に対応した現像剤画像が順次転写される。その後、用紙は、搬送ベルトユニット１１によって、下流方向に形成された定着装置２３まで搬送される。
【００１３】
定着装置２３は、定着部材としての定着ローラ２５と、定着ローラ２５と共に用紙を挟持搬送する加圧ローラ２７とを備える。そして定着装置２３は、定着ローラ２５及び加圧ローラ２７によって用紙を挟持搬送することで、用紙上に転写された現像剤画像を用紙上に定着させる。
【００１４】
次に、プリンタ１の制御系統について詳細な説明を行う。
【００１５】
図２に示す様に、プリンタ１は、印刷処理に際して各部を制御する制御部２９と、感光体ドラム１５Ｃ，１５Ｍ，１５Ｙ，１５Ｋに電力を供給する高圧電源３１と、定着装置２３に電力を供給する低圧電源３３と、媒体搬送経路上における用紙Ｐの位置を検出する用紙センサ３５と、露光ヘッド３Ｃ，３Ｍ，３Ｙ，３Ｋを制御する露光制御部３７とを備える。
【００１６】
制御部２９は、上位装置から受信した画像情報に基づく印刷情報を読み込んだ上で、該印刷情報に基づいて各部を制御する。具体的には、制御部２９は、露光制御部３７に対して該印刷情報を供給すると共に、潜像画像の形成指示を供給する。また制御部２９は、印刷処理に際して、各部に駆動力を供給する駆動モータＭの駆動を開始させる。また、制御部２９は、高圧電源３１に対して、現像装置５Ｃ，５Ｍ，５Ｙ，５Ｋに画像形成処理に必要な高圧電源を供給すべき旨の指令を供給する。また、制御部２９は、低圧電源３３に対して、定着装置２３に定着処理に必要な低圧電源を供給すべき旨の指令を供給する。
【００１７】
また、この様なプリンタ１は、上位装置から受信した画像情報を、プリンタ１によって印刷可能な形式の印刷情報に変換する基板としてのＩ／Ｆ（Interface）制御部３９を備える。Ｉ／Ｆ制御部３９は、表面に各種回路群が形成され、ＵＳＢ等のインターフェイスを介して上位装置から送信された画像情報を受信する。また、Ｉ／Ｆ制御部３９は、受信した画像情報を、実装したＣＰＵ（Central Processing Unit）を用いて印刷情報に変換する。この様なＩ／Ｆ制御部３９は、プリンタ１に対して着脱自在に形成される。また、この様なＩ／Ｆ制御部３９は、メモリ、ＨＤＤ等の機能拡張オプション４１を実装可能に形成される。
【００１８】
従来、ＨＤＤ等の機能拡張オプション４１を実装する際には、装置等に形成された扉を開口した上で、Ｉ／Ｆ制御部３９と機能拡張オプション４１を接続する必要があった。しかし、本発明にかかるプリンタ１では、扉等を用いず、より容易に機能拡張オプション４１を接続することが可能となる。
【００１９】
図３に示す様に、Ｉ／Ｆ制御部３９は、所定のシールドボックス４３内部に収納される。シールドボックス４３は、一方の端部が開口した形状を備え、中空部にＩ／Ｆ制御部３９及び制御部２９を備える。これらＩ／Ｆ制御部３９と制御部２９は、コネクタ４５ａ，４５ｂを介して互いに接続される。また、Ｉ／Ｆ制御部３９は、シールドボックス４３の開口部を閉塞することが可能なブラケット４７に固定される。そして、ブラケット４７によってシールドボックス４３の開口部が閉じられると、Ｉ／Ｆ制御部３９は、シールドボックス４３内部に形成されたガイド４９，５１に沿って矢印Ｘ方向にスライドし、制御部２９と固定される。
【００２０】
また、ブラケット４７におけるＩ／Ｆ制御部３９が固定された面とは反対側の主面には、ユーザが掴むことが可能な掴手５３が形成される。掴手５３は、収容状態、切断状態、及び引抜状態に移動可能に形成される。ここで収容状態とは、掴手５３が収容され、ユーザが掴むことができない状態をいい、具体的には、掴手５３がブラケット４７の主面に沿って収容された状態をいう。また、切断状態とは、掴手５３が収容状態から僅かに移動した状態をいい、具体的には、掴手５３がブラケット４７との支持部を中心に僅かに回動した状態をいう。そして詳細は後述するが、掴手５３がこの様な切断状態にある場合には、Ｉ／Ｆ制御部３９への電力の供給は停止される。また、引抜状態とは、ユーザが掴手５３を掴むことができる状態をいい、具体的には、掴手５３が切断状態からさらに回動して掴手５３の主要部がブラケット４７の主面から離れた状態をいう。また、この様な収容状態、切断状態、及び引抜状態の関係としては、収容状態から掴手５３を回動させると切断状態となり、さらに掴手５３を回動させると引抜状態となる。そして、切断状態は、収容状態と引抜状態との間の状態のうちの任意の状態をいう。そして、掴手５３が収容状態にある場合には、プリンタ１は、Ｉ／Ｆ制御部３９に対して通電を行い、掴手５３が僅かに回動して切断状態に移動すると、プリンタ１はＩ／Ｆ制御部３９への通電を停止する。そして、掴手５３がさらに回動して引抜状態に移動すると、Ｉ／Ｆ制御部３９は、プリンタ１から取り外し可能な状態となる。
【００２１】
さらに具体的には、掴手５３は、略クランク形状に形成され、ブラケット４７の主面に回動支持される。そして、ユーザがＩ／Ｆ制御部３９を矢印Ｙ方向に引っ張る際には、掴手５３をブラケット４７の主面に対して垂直な状態に回動させて、掴手５３を収容状態から、切断状態を介して引抜状態に移動させる。その後、ユーザは、掴手５３を引っ張り、Ｉ／Ｆ制御部３９を矢印Ｙ方向にスライドさせる。そして、ユーザは、掴手５３を矢印Ｙ方向に引っ張り、機能拡張オプション４１を実装する実装領域４１ａを露出させる。一方で、ユーザがＩ／Ｆ制御部３９をシールドボックス４３内部に収納した後には、掴手５３は、収容状態に戻される。
【００２２】
また、プリンタ１は、掴手５３の状態を検出する検出部５５を備える。検出部５５は、掴手５３の動作を検出し、掴手５３が収容状態、切断状態、又は引抜状態の何れの状態にあるかを検出する。この様な検出部は、ブラケット４７における掴手５３の裏面近傍に固定される。そして検出部５５は、かかる検出結果を、Ｉ／Ｆ制御部３９に電力を供給する電力供給部としての電源制御部５７に供給する。
【００２３】
電源制御部５７は、検出部５５からの検出結果に応じて、低圧電源３３からＩ／Ｆ制御部３９に対して駆動に必要な電力を供給する為の制御を行う。具体的には、電源制御部５７は、掴手５３が切断状態又は引抜状態にあるときは、Ｉ／Ｆ制御部３９に対する電力の供給を停止すると共に、電力が供給することが出来ない様な状態を維持する。一方で電源制御部５７は、掴手５３が収容状態にあるときは、Ｉ／Ｆ制御部３９に対する電力の供給が可能な状態を維持する。
【００２４】
すなわち、プリンタ１は、掴手５３がユーザによって掴むことが可能な状態にあるときは、Ｉ／Ｆ制御部３９がプリンタ１から取り外される可能性があるとして、Ｉ／Ｆ制御部３９への給電を停止させ、また給電をすることが出来ない状態にする。一方で、プリンタ１は、掴手５３がユーザによって掴むことが出来ない状態にあるときは、Ｉ／Ｆ制御部３９がプリンタ１から取り外される可能性がないとして、Ｉ／Ｆ制御部３９への給電が可能な状態にする。
【００２５】
また、Ｉ／Ｆ制御部３９は、図４に示す様な回路構成を有する。Ｉ／Ｆ制御部３９は、検出部５５と電源制御部５７との兼用素子としてのマイクロスイッチＳＷ１を備える。この様なマイクロスイッチＳＷ１は、上述した検出部２９として機能する。そして、Ｉ／Ｆ制御部３９は、マイクロスイッチＳＷ１を介して各素子に電源５ＶＩを供給する。尚、同図に示す信号ａ〜ｎは、Ｉ／Ｆ制御部３９と制御部２９との通信信号である。
【００２６】
以下、プリンタ１の動作について詳細な説明を行う。
【００２７】
先ず、プリンタ１が待機状態にあるときに、ユーザによって掴手５３が引き起こされると、図５に示す様にスイッチ素子ＳＷ１はオフ状態となり、検出信号はローレベルに遷移する。そしてスイッチ素子ＳＷ１がオフ状態となると、電源制御部５７からＩ／Ｆ制御部３９への通電は停止する。これにより、Ｉ／Ｆ制御部３９は動作を停止する。また、このとき制御部２９は、信号ａ〜ｎの検出結果に基づいてかかる状態を検出する。そして制御部２９は、図示せぬ表示部等にエラーメッセージ等を表示させる。尚、このとき制御部２９は、復旧後に即座に印刷処理を実行することができる様、定着装置２３の温度制御を継続する。
【００２８】
一方、印刷処理中に、ユーザが掴手５３を引き起こした場合、スイッチ素子ＳＷ１はオフ状態となり、検出信号はローレベル信号に遷移する。これにより、電源制御部５７は、Ｉ／Ｆ制御部３９への通電を停止する。また、このとき制御部２９は、信号ａ〜ｎの検出結果に基づいてかかる状態を検出する。そして制御部２９は、既に変換された印刷情報についての印刷処理を終了させた後、図示せぬ表示部等にエラーメッセージ等を表示させる。
【００２９】
このとき制御部２９は、復旧後に即座に印刷処理を実行することができる様、定着装置２３の温度制御を継続する。また、このときＩ／Ｆ制御部３９への通電が停止する為、上位装置との通信を行うことができなくなる為、プリンタ１は、データの転送を停止し、復旧待の状態に移行する。
【００３０】
そして、ユーザがＩ／Ｆ制御部３９をガイド４９，５１に沿って矢印Ｙ方向に移動させて、実装領域４１ａをシールドボックス４３外部に引き抜くことにより機能拡張オプション４１を実装領域４１ａに実装することが可能な状態となる。そして、機能拡張オプション４１が実装領域４１ａに実装された後、ユーザは、ガイド４９，５１に沿ってＩ／Ｆ制御部３９を矢印Ｘ方向に移動させ、コネクタ４５ａ，４５ｂを互いに接続する。これにより、Ｉ／Ｆ制御部３９と制御部２９は通信可能な状態となる。そして、ユーザが掴手５３を倒し、検出部５５がこれを検出すると、検出部５５は検出信号をハイレベル信号に遷移させる。そしてプリンタ１は、各部にリセット信号を供給する。これによりＩ／Ｆ制御部３９は、イニシャル処理を開始する。そしてイニシャル処理が終了すると、Ｉ／Ｆ制御部３９及び制御部２９は、通常の処理を開始する。
【００３１】
この様に、第１の実施の形態にかかるプリンタ１によれば、掴手５３の動作に応じてＩ／Ｆ制御部３９への通電の可否を検出することができる為、活線抜挿を防止することができる。
【００３２】
また、プリンタ１によれば、扉等を設けず、Ｉ／Ｆ制御部３９をシールドボックス４３内部でスライド可能に形成することにより、Ｉ／Ｆ制御部３９を抜き差しするスペースを確保することによって基板への作業を行うことが可能となる。そしてこれにより、Ｉ／Ｆ制御部３９を抜き差しする為のスペースを確保する必要がなくなり、小型の装置等についても適用することが可能となる。
【００３３】
また、プリンタ１によれば、Ｉ／Ｆ制御部３９をシールドボックス４３内部でスライド可能に形成することにより、Ｉ／Ｆ制御部３９の大部分をシールドボックス４３の外部に露出させることが可能となる為、機能拡張オプション４１の装着等の作業を行う為の領域を十分に確保することができる。
【００３４】
尚、上述した例では、検出部５５をブラケット４７に固定することとしたが、検出部５５をシールドボックス４３に固定する構成とすることも可能である。この場合、検出部５５は、図６に示す様に、Ｉ／Ｆ制御部３９と制御部２９とを固定した状態で、掴手５３の状態を検出可能な位置、すなわちシールドボックス４３の開口近傍に形成される。そしてこのとき、スイッチＳＷ１は、図７に示す様に、制御部２９側に形成される。この場合でも、上述の例と同様の効果が得られる。
【００３５】
以下、本発明の第２の実施の形態について詳細な説明を行う。尚、第２の実施の形態では、プリンタ１と同一の構成を有する箇所がある為、該箇所については詳細な説明を省略し、差異のある箇所についてのみ詳細な説明を行う。
【００３６】
具体的には、第２の実施の形態にかかるプリンタは、図８に示す様に、Ｉ／Ｆ制御部３９を機械的にロックするロック部１０１を備える。また、第２の実施の形態にかかるプリンタでは、検出部５５からの検出結果は、低圧電源３３にも通知される。
【００３７】
具体的には、ロック部１０１は、低圧電源３３から供給された電力に基づいて駆動する。そして低圧電源３３から電力が供給されている間にはロック部１０１は、Ｉ／Ｆ制御部３９をシールドボックス４３から引き抜くことが出来ない様にブラケット４７をロックする。一方、ロック部１０１は、低圧電源３３からの電力の供給が停止すると、ブラケット４７のロックを解除し、Ｉ／Ｆ制御部３９をシールドボックス４３から引き抜くことを可能とする。この様なロック部１０１は、図９に示す様に、Ｉ／Ｆ制御部３９と制御部２９とを固定した状態でブラケット４７と接触可能な位置、すなわちシールドボックス４３の開口近傍に形成される。そして、この様なロック部１０１としては、例えば低圧電源３３からの電力に基づいて駆動するソレノイドを用いることができる。
【００３８】
低圧電源３３は、検出部５５の検出結果に基づいてロック部１０１に低圧電力を供給する。具体的には、低圧電源３３は、検出部５５からの検出結果が、掴手５３が起こされた状態で継続した場合には、ロック部１０１への通電を停止し、ロックを解除する。また、低圧電源３３は、検出部５５が掴手５３の状態を検出して検出信号が発せられてから一定の時間が経過した後に、ロック部１０１への通電を停止する。この様に、一定の時差を設けることにより、低圧電源３３は、Ｉ／Ｆ制御部３９への通電か確実に停止した後に、Ｉ／Ｆ制御部３９を引き抜くことが可能な状態とする。
【００３９】
この様なＩ／Ｆ制御部３９、制御部２９、及び低圧電源３３は、図１０に示す様に接続される。
【００４０】
掴手５３の状態が検出されると、該検出結果は、何れかの信号線を介して低圧電源３３に供給される。そして、該信号線からの信号が供給されると、トランジスタＴＲ４はオン状態となり、電源Ｖｃｃとロック部１０１との間が通電する。これによりロック部１０１は、ブラケット４７をロックし、Ｉ／Ｆ制御部３９を引き抜くことができない状態とする。この様な回路においては、Ｉ／Ｆ制御部３９に形成された抵抗Ｒ１，Ｒ２及びコンデンサＣ１からなる時定数回路の時定数Ｔ１と、低圧電源３３に形成された抵抗Ｒ５，Ｒ６、及びコンデンサＣ２からなる時定数回路の時定数Ｔ２との間で、不等式Ｔ１＜Ｔ２が成立する様に各値を設定することにより、検出信号の遷移と、低圧電源３３へ供給する信号の遷移との間で時間差を設定することができる。
【００４１】
この様なプリンタでは、ユーザによって掴手５３が引き起こされると、図１１に示す様にスイッチ素子ＳＷ１はオフ状態となり、検出信号はローレベルに遷移する。そしてスイッチ素子ＳＷ１がオフ状態となると、電源制御部５７からＩ／Ｆ制御部３９への通電は停止する。これにより、Ｉ／Ｆ制御部３９は動作を停止する。またこれと同時に検出部５５の検出結果は低圧電源３３に供給され、検出信号が遷移してから一定時間経過後、ロック部１０１はオフ状態となり、ブラケット４７のロックは解除される。これにより、プリンタは、Ｉ／Ｆ制御部３９を引き抜くことが可能な状態とする。
【００４２】
その後、Ｉ／Ｆ制御部３９と制御部２９とが接続され、掴手５３が倒されて検出部５５がこれを検出すると、低圧電源３３はこれを検出し、ロック部１０１をオン状態とする。これによりＩ／Ｆ制御部３９は、引き抜くことができない状態となる。
【００４３】
この様に、第２の実施の形態によれば、掴手５３が引き起こされてから、一定の時間経過した後に、ロック部１０１によるロックを解除し、Ｉ／Ｆ制御部３９を引き抜くことが可能な状態にすることにより、活線抜挿を確実に防止することができる。
【００４４】
以下、本発明の第３の実施の形態について詳細な説明を行う。尚、第４の実施の形態では、プリンタ１と同一の構成を有する箇所がある為、該箇所については詳細な説明を省略し、差異のある箇所についてのみ詳細な説明を行う。
【００４５】
第３の実施の形態にかかるプリンタは、プリンタ１の構成に加え、図１２に示す様に、掴手５３を固定するストッパ２０１を備える。
【００４６】
ストッパ２０１は、掴手５３が引っ掛けられている状態では掴手５３が矢印Ｙ方向に移動することを防止する。この様なストッパ２０１は、シールドボックス４３内部における開口近傍に形成され、一定の体積を有する突起により形成される。そして、この様なストッパ２０１には、掴手５３が収納されている状態で、略クランク形状に形成された掴手５３の端部が引っ掛かる。そしてこれによりストッパ２０１は、掴手５３が収納されている状態で、Ｉ／Ｆ制御部３９を引き抜くことができないこととする。一方で、ユーザがＩ／Ｆ制御部３９を引き抜く場合、掴手５３を軸５３ａ回りに回動させて引き起こすことによって、掴手５３の端部がストッパ２０１から離れ、Ｉ／Ｆ制御部３９を引き抜くことが可能となる。これにより、何らかの原因で掴手５３を引き起こさないでＩ／Ｆ制御部３９が引き抜かれてしまうことを防止することができる。これにより、第３の実施の形態にかかるプリンタによれば、プリンタ１と比較してより確実に活線抜挿の発生を防止することができる。
【００４７】
また、ストッパ２０１は、掴手５３が収容された状態で、Ｉ／Ｆ制御部３９と制御部２９とが接続されることを防止する。具体的には、図１３に示す様に、ユーザが掴手５３が収納された状態でＩ／Ｆ制御部３９を矢印Ｘ方向にスライドさせて制御部２９と接続しようとした場合においても、掴手５３の端部はストッパ２０１と接触する。そしてこれにより、ユーザは、Ｉ／Ｆ制御部３９を矢印Ｘ方向にスライドさせることができなくなる。これにより、プリンタは、掴手５３が収納された状態、すなわちＩ／Ｆ制御部３９への通電が即座に開始してしまう状態で制御部２９とＩ／Ｆ制御部３９とが接続されることを防止することができる。
【００４８】
この様に、第３の実施の形態にかかるプリンタによれば、ストッパ２０１によって掴手５３のスライドを規制することにより、活線抜挿をより確実に防止することができる。また、プリンタによれば、Ｉ／Ｆ制御部３９への通電が開始可能な状態で、制御部２９とＩ／Ｆ制御部３９とが接続されてしまうことを防止することができる。
【００４９】
以下、本発明の第４の実施の形態について詳細な説明を行う。尚、第４の実施の形態では、プリンタ１と同一の構成を有する箇所がある為、該箇所については詳細な説明を省略し、差異のある箇所についてのみ詳細な説明を行う。
【００５０】
第４の実施の形態にかかるプリンタは、図１４に示す様に、アース部３０１ａ，３０１ｂを有するＩ／Ｆ制御部３０３を備える。
【００５１】
Ｉ／Ｆ制御部３０３は、Ｉ／Ｆ制御部３９の構成に加え、その両端部におけるシールドボックス４３と接触する位置にアース部３０１ａ，３０１ｂを備える。アース部３０１ａ，３０１ｂは、Ｉ／Ｆ制御部３０３の基板の側面に沿って形成される。そして、図１５に示す様に、Ｉ／Ｆ制御部３０３は、ガイド４９，５１を介してシールドボックス４３と接続される。
【００５２】
この様に、Ｉ／Ｆ制御部３０３にアース部３０１ａ，３０１ｂを形成し、ガイド４９，５１と接触させることで、Ｉ／Ｆ制御部３０３を引き抜く際に、Ｉ／Ｆ制御部３０３は常にアース部３０１ａ，３０１ｂを介してシールドボックス４３と電気的に接続された状態を維持することができる。これにより、例えばコンデンサに残留した電荷は、シールドボックス４３方向に流れる為、放電等によってＩ／Ｆ制御部３０３が破損することを防止することができる。
【図面の簡単な説明】
【００５３】
【図１】第１の実施の形態にかかるプリンタの断面図である。
【図２】同プリンタの制御系統を示すブロック図である。
【図３】同プリンタの要部斜視図である。
【図４】同プリンタが備えるＩ／Ｆ制御部の回路図である。
【図５】同プリンタの動作を説明する為のタイミングチャートである。
【図６】同プリンタの変形例を示す斜視図である。
【図７】同プリンタが備えるＩ／Ｆ制御部の回路図である。
【図８】第２の実施の形態にかかるプリンタのブロック図である。
【図９】同プリンタの要部斜視図である。
【図１０】同プリンタが備えるＩ／Ｆ制御部の回路図である。
【図１１】同プリンタの動作を説明する為のタイミングチャートである。
【図１２】第３の実施の形態にかかるプリンタの要部断面図である。
【図１３】同プリンタの動作を説明する為の要部断面図である。
【図１４】第４の実施の形態にかかるプリンタの要部斜視図である。
【図１５】同プリンタが備えるＩ／Ｆ制御部の回路図である。
【符号の説明】
【００５４】
１    プリンタ
３Ｃ，３Ｍ，３Ｙ，３Ｋ    露光ヘッド
５Ｃ，５Ｍ，５Ｙ，５Ｋ    現像装置
７    現像剤カートリッジ
９Ｃ，９Ｍ，９Ｙ，９Ｋ    転写装置
１１    搬送ベルトユニット
１３    画像印刷部
１５Ｃ，１５Ｍ，１５Ｙ，１５Ｋ    感光体ドラム
１７Ｃ，１７Ｍ，１７Ｙ，１７Ｋ    現像ローラ
１９    用紙スタッカ
２１    給紙ローラ
２３    定着装置
２５    定着ローラ
２７    加圧ローラ
２９    検出部
３１    高圧電源
３３    低圧電源
３５    用紙センサ
３７    露光制御部
３９    Ｉ／Ｆ制御部
４１    機能拡張オプション
４３    シールドボックス
４５ａ，４５ｂ    コネクタ
４７    ブラケット
４９，５１    ガイド
５３    掴手
５５    検出部
５７    電源制御部
１０１    ロック部
２０１    ストッパ
３０１ａ，３０１ｂ    アース部
３０３    制御部
【図１】
2008250070.tif 000003
【図２】
2008250070.tif 000004
【図３】
2008250070.tif 000005
【図４】
2008250070.tif 000006
【図５】
2008250070.tif 000007
【図６】
2008250070.tif 000008
【図７】
2008250070.tif 000009
【図８】
2008250070.tif 000010
【図９】
2008250070.tif 000011
【図１０】
2008250070.tif 000012
【図１１】
2008250070.tif 000013
【図１２】
2008250070.tif 000014
【図１３】
2008250070.tif 000015
【図１４】
2008250070.tif 000016
【図１５】
2008250070.tif 000017